(57)【要約】      （修正有）【課題】音声出力機能のほか視覚的美化効果を兼ねた鉢植え型スピーカ装置の提供。【解決手段】主に植木鉢、スピーカ、蓋板、造花及びワイヤレス伝送装置等から成り、該植木鉢は上部が開口した中空の容器であり、内部に１つ以上のスピーカを収納することができ、該蓋板は該植木鉢上部の開口部上に設置され、該植木鉢周縁及び蓋板上に必要に応じ異なる形状に配列した複数の音孔を設けてスピーカの音声を外部に拡散し、該蓋板上に装飾用の造花を挿入して設置し、該造花は複数本の光ファイバ体及び根元部分に設置された光源体を含み、該光ファイバ体は該光源体が発する光線により該造花にさまざまな明るさや色の光線変化を生成し、該ワイヤレス伝送装置は音声信号源に接続された発信ユニットとスピーカに接続された受信回路板を含み、該ワイヤレス伝送方式で音声信号を伝送し、該スピーカが信号を受信した後音声を出力する。【選択図】図１
0003112142.tif 000002
【実用新案登録請求の範囲】
【請求項１】
植木鉢、造花、受信回路板、スピーカを含み、そのうち、該植木鉢は中空状で上部が開口した容器であり、その上部開口部の周縁に環状縁部を設け、該環状縁部に蓋板が設置され、該蓋板中央に穿通孔を設け、且つ、該穿通孔周縁部に複数の音孔を開設し、該植木鉢周縁面上にも複数の音孔を開設すると共に、該植木鉢内に別途電源を供給するための電源供給装置を設置し、該電源供給装置から電源コードを外部に延伸し、前記造花は該蓋板中央の穿通孔内に挿入して設置され、該植木鉢上で装飾を形成し、前記受信回路板は予め外部に設けた発信ユニットが発信するワイヤレス伝送電波を受信して音声信号を出力し、前記スピーカは該植木鉢内に設置され、その入力端に該受信回路板の出力端及び音源ケーブルを接続することができ、ケーブル接続またはワイヤレス方式で音声信号を受信して音声を出力する、鉢植え型スピーカ装置。
【請求項２】
前記発信ユニットは、エンコード発信回路と発信アンテナを含んで成り、該エンコード発信回路は予め設けた音声信号源の音声信号を受信し、エンコードした後該発信アンテナへ出力し、ワイヤレス電波方式で外部に信号を発信し、該受信回路板は受信アンテナ、デコード受信回路及びパワーアンプを含み、該受信アンテナが前述の発信アンテナが発信するワイヤレス電波信号を受信し、該デコード受信回路が該ワイヤレス電波信号をデコードし、該パワーアンプを介して該信号を増幅した後スピーカへ送る、請求項１に記載の鉢植え型スピーカ装置。
【請求項３】
前記造花は、複数本の光ファイバ体及び根元部分に設けた光源体から構成され、該光源体を該蓋板の穿通孔内に挿入することができ、該光ファイバ体の先端部に装飾物を設けた、請求項１または２に記載の鉢植え型スピーカ装置。
【考案の詳細な説明】
【技術分野】
【０００１】
本考案は鉢植え型スピーカ装置に関し、詳細には、装飾用の造花の鉢植えに音声の出力と光線変化の効果を付加した鉢植え型スピーカ装置に関する。
【背景技術】
【０００２】
スピーカや拡声器の主な機能は、電流信号を音声に変換することにあり、このような電流信号を音声に変換するという特殊機能は、現代の科学技術社会での音声データ伝送において不可欠な重要な地位を占めており、生活水準の向上に伴い、消費者のスピーカや拡声器の発声効果及び関連付加機能に対する要求も日増しに重要視されるようになっている。
【０００３】
従来のスピーカや拡声器装置は、そのほとんどが単純な角型の箱体に１つ以上のスピーカまたは拡声器の単体を収納しただけのものであり、変化をつける場合は、スピーカまたは拡声器の単体数や配列、または該箱体内部空間の大きさや形状、または周波数分割回路（周波数分割点）の設計等において、高い設計関連の学識を必要としながら、音声品質そのものの増進を主として行われており、その他付加価値の増進には着眼していない。
【考案の開示】
【考案が解決しようとする課題】
【０００４】
従来のスピーカや拡声器装置における上述の欠点に鑑みて、本考案者はこれら欠点の改善について研究を重ね、本考案を提供するものである。
本考案の主な目的は、主に上部が開口した中空状の植木鉢内にスピーカを設置し、該植木鉢の上部開口部に蓋板を設け、且つ、該蓋板上に装飾用の造花を設置し、該植木鉢周縁面及び蓋板上に必要に応じて異なる形状に配列した複数の音孔を設け、該蓋板が適切な電流信号を受け取った後音声を発生する鉢植え型スピーカ装置であって、基本的な音声出力機能のほか、視覚的美化効果を兼ね備えた、鉢植え型スピーカ装置を提供することにある。
【０００５】
本考案の更に別の目的は、前記スピーカと関連音声信号源の間がワイヤレス方式により信号の伝送を行い、該植木鉢は実際の装飾における美観を考慮し設置位置を決定することができ、音声信号源のケーブル配置や遠近を考慮する必要なく、最良の設置効果を得ることができる、鉢植え型スピーカ装置を提供することにある。
【０００６】
本考案の更に別の目的は、前記造花は複数本の光ファイバ体を含んで成り、該光ファイバ体に適切な光源体を組み合わせて発する光線により、該造花にさまざまな明るさや色の光線の変化を備えさせ、視覚的刺激効果を効果的に増進する、鉢植え型スピーカ装置を提供することにある。
【課題を解決するための手段】
【０００７】
本考案の鉢植え型スピーカ装置は、主に植木鉢、スピーカ、蓋板、造花及びワイヤレス伝送装置等を含んで成り、そのうち、該植木鉢は上部が開口した中空の容器であり、その内部に１つ以上のスピーカを収納することができ、該蓋板は該植木鉢上部の開口部上に設置され、該植木鉢周縁及び蓋板上に必要に応じ異なる形状に配列した複数の音孔を設けてスピーカの音声を外部に拡散し、さらに、該蓋板上に装飾用の造花を挿入して設置し、該造花は複数本の光ファイバ体及び根元部分に設置された光源体を含み、該光ファイバ体は該光源体が発する光線により該造花にさまざまな明るさや色の光線変化を生成し、該ワイヤレス伝送装置は音声信号源に接続された発信ユニットとスピーカに接続された受信回路板をそれぞれ含み、該二者はワイヤレス伝送方式で音声信号を伝送し、該スピーカが信号を受信した後音声を出力する。
【考案を実施するための最良の形態】
【０００８】
本考案の詳細な構造、応用原理、作用及び効果について、以下、図面に基づき詳細に説明する。
図１に本考案の立体分解図を示す。図から分かるように、本考案は主に植木鉢１、スピーカ２、蓋板３、造花４及びワイヤレス伝送装置５等を含んで成り、そのうち、該植木鉢１は中空状で上部が開口した容器であり、その上部開口部の周縁部に環状縁部１１を設け、且つ、周縁面上に必要に応じ異なる形状に配列した複数の音孔１２を設け、該植木鉢１内に別途電源を供給するための電源供給装置１３１を設置し、該電源供給装置１３１から電源コード１３を外部に延伸すると共に、前記スピーカ２を該植木鉢１内に設置し、その入力端に音源ケーブル２１を接続して外部に延伸する。前記蓋板３は、該植木鉢１の上部開口部の環状縁部１１上に位置決めされ、その中央に穿通孔３１を設け、且つ、該穿通孔３１周縁部に必要に応じ複数の音孔３２を設ける。前記造花４は、複数本の光ファイバ体４２及び根元に設けた光源体４１から構成され、該光ファイバ体４２の先端に装飾物（例：花や草など）を設置する。前記ワイヤレス伝送装置５は、音声信号源５１１（図４参照）に接続された発信ユニット５１及び植木鉢１内に設置され該スピーカ２に接続された受信回路板５２を含んで成る。
【０００９】
図２及び図３に本考案の組み立て後の状態を示す断面図と立体外観図をそれぞれ示す。図２及び図３から分かるように、該スピーカ２は該植木鉢１内に収納され、該蓋板３を該植木鉢１の上部開口部内の環状縁部１１上に被せて設置し、該造花４は光源体４１を該蓋板３の穿通孔３１内に挿入して設置され、電源コード１３が交流電源に接続されて該電源供給装置１３１が適切な直流電源に変換してその他構成部品に電源を供給する。該スピーカ２は直接音源ケーブル２１によりケーブル接続方式で音声信号を受信するか、または該受信回路板５２によりワイヤレス伝送方式で該発信ユニット５１の音声信号を受信し、音声を出力して該植木鉢１、蓋板３上の音孔１２、３２に音声を分布させ音声を拡散し、その鉢植え型のスピーカ装置の設計により、効果的に音声と視覚を結合させ、環境美化の効果が増進される。
【００１０】
上述の構造において、該造花４の光ファイバ体４２は、上方向に該光源体４１が発する光線を導引し、異なる明るさや色の光線の変化を生成し、効果的に視覚的刺激効果を増進する。
【００１１】
図４に本考案の回路図を示す。該図に示すように、該発信ユニット５１は音声信号源５１１、エンコード発信回路５１２、発信アンテナ５１３等を含んで成り、そのうち、該エンコード発信回路５１２は集積回路Ｕ１及び関連する各抵抗Ｒ４、Ｒ５、Ｒ６、Ｒ７、Ｒ１、Ｒ２、Ｒ３及びコンデンサＣ６、Ｃ９、Ｃ４、Ｃ１、Ｃ７、Ｃ５、Ｃ２、Ｃ３、Ｃ８、各インダクタンスＬ１、Ｌ２、Ｌ３、トランジスタＱ１等から構成され、主に該音声信号源５１１の音声信号を受信し、それをエンコードした後、発信アンテナ５１３へ出力し、該発信アンテナ５１３がワイヤレス電波方式で外部へ信号を発信する。該受信回路板５２は受信アンテナ５２１、デコード受信回路５２２及びパワーアンプ５２３等を含んで成り、そのうち、該デコード受信回路５２２は、集積回路Ｕ２及び関連する抵抗Ｒ１２、Ｒ１３、Ｒ１４及びコンデンサＣ１０、Ｃ１２、Ｃ１３、Ｃ１４等から構成され、受信アンテナ５２１が前述の発信アンテナ５１３が発信するワイヤレス電波信号を受信した後、フィルタコンデンサＣ１１を介しデコード受信回路５２２へ伝送し、該デコード受信回路５２２が該ワイヤレス電波信号をデコードし、パワーアンプ５２３を介して該信号を増幅した後スピーカ２へ送り、該スピーカ２が音声を出力する。
【００１２】
上述から分かるように、本考案の鉢植え型スピーカ装置は、装飾と音声出力装置を結合させ、且つ、光線変化の視覚的刺激効果も兼ね備え、確実に産業上の利用価値と新規性、進歩性を備えている。
【００１３】
上述の説明は、本考案の最良の実施例に基づくものであり、本考案の実施の範囲を制限するものではなく、本考案の実用新案登録請求範囲に基づくあらゆる変化や修飾も、本考案の実用新案登録請求範囲に含まれるものとする。
【図面の簡単な説明】
【００１４】
【図１】本考案の構造を示す立体分解図である。
【図２】本考案の組み立て後の状態を示す断面図である。
【図３】本考案の組み立て後の状態を示す立体外観図である。
【図４】本考案の回路図である。
【符号の説明】
【００１５】
１        植木鉢
１１      環状縁部
１２、３２    音孔
１３      電源コード
１３１    電源供給装置
２        スピーカ
２１      音源ケーブル
３        蓋板
３１      穿通孔
４        造花
４１      光源体
４２      光ファイバ体
５        ワイヤレス伝送装置
５１      発信ユニット
５１１    音声信号源
５１２    エンコード発信回路
５１３    発信アンテナ
５２      受信回路板
５２１    受信アンテナ
５２２    デコード受信回路
５２３    パワーアンプ
【図１】
0003112142.tif 000003
【図２】
0003112142.tif 000004
【図３】
0003112142.tif 000005
【図４】
0003112142.tif 000006